(57)【要約】【課題】正常なバックアップデータが失われることを抑制する。【解決手段】本発明の情報処理装置は、既に記憶されている同一内容のデータを参照することによって重複記憶を排除する重複排除ストレージ装置に、バックアップ対象データを記憶するバックアップ処理を行う情報処理装置であって、バックアップ対象データを重複排除ストレージ装置に記憶することによる重複排除された後の容量を、バックアップ処理を行う毎に算出する算出部と、バックアップ処理毎に算出した容量に基づいて、バックアップ対象データが正常か異常かを判断する判断部と、を備える。【選択図】図６
2018147127.tif 000002
【特許請求の範囲】
【請求項１】
既に記憶されている同一内容のデータを参照することによって重複記憶を排除する重複排除ストレージ装置に、バックアップ対象データを記憶するバックアップ処理を行う情報処理装置であって、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を備えた情報処理装置。
【請求項２】
請求項１に記載の情報処理装置であって、
前記判断部は、前記バックアップ処理毎に算出した前記容量の変化に基づいて、前記バックアップ対象データが正常か異常かを判断する、
情報処理装置。
【請求項３】
請求項１又は２に記載の情報処理装置であって、
前記判断部は、前回の前記バックアップ処理の際に算出した前記容量と、今回の前記バックアップ処理の際に算出した前記容量と、に基づいて、前記バックアップ対象データが正常か異常かを判断する、
情報処理装置。
【請求項４】
請求項３に記載の情報処理装置であって、
前記判断部は、前回の前記バックアップ処理の際に算出した前記容量に対して、今回の前記バックアップ処理の際に算出した前記容量が予め設定された基準により急増したと判断した場合に、前記バックアップ対象データが異常であると判断する、
情報処理装置。
【請求項５】
請求項１乃至４のいずれかに記載の情報処理装置であって、
前記算出部は、前記バックアップ対象データを前記重複排除ストレージ装置に記憶することにより生成される、既に記憶されている同一内容のデータを参照する参照データの数を、前記バックアップ処理を行う毎に算出し、
前記判断部は、前記バックアップ処理毎に算出した前記容量と前記参照データの数とに基づいて、前記バックアップ対象データが正常か異常かを判断する、
情報処理装置。
【請求項６】
請求項５に記載の情報処理装置であって、
前記判断部は、前回の前記バックアップ処理の際に算出した前記容量に対して、今回の前記バックアップ処理の際に算出した前記容量が予め設定された基準により急減したと判断した場合に、算出した前記参照データの数に基づいて、前記バックアップ対象データが正常か異常かを判断する、
情報処理装置。
【請求項７】
請求項５又は６に記載の情報処理装置であって、
前記判断部は、新規に生成された前記参照データの数に基づいて、前記バックアップ対象データが正常か異常かを判断する、
情報処理装置。
【請求項８】
請求項７に記載の情報処理装置であって、
前記判断部は、新規に生成された前記参照データの数が予め設定された閾値を超えた場合に、前記バックアップ対象データが異常であると判断する、
情報処理装置。
【請求項９】
既に記憶されている同一内容のデータを参照データにて参照することによって重複記憶を排除する重複排除ストレージ装置に対して、バックアップ対象データを記憶するバックアップ処理を行う情報処理装置であって、
前記バックアップ対象データを前記重複排除ストレージ装置に記憶することによって生成された前記参照データの数を、前記バックアップ処理を行う毎に算出する算出部と、
算出した前記参照データの数に基づいて、前記バックアップ対象データが正常か異常かを判断する判断部と、
を備えた情報処理装置。
【請求項１０】
既に記憶されている同一内容のデータを参照することによって重複記憶を排除する重複排除ストレージ装置に、バックアップ対象データを記憶するバックアップ処理を行う情報処理装置に、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を実現させるためのプログラム。
【請求項１１】
既に記憶されている同一内容のデータを参照することによって重複記憶を排除する重複排除ストレージ装置に、バックアップ対象データを記憶するバックアップ処理を行う情報処理方法であって、
前記バックアップ対象データを前記重複排除ストレージ装置に記憶することによる重複排除された後の容量を、前記バックアップ処理を行う毎に算出し、
前記バックアップ処理毎に算出した前記容量に基づいて、前記バックアップ対象データが正常か異常かを判断する、
情報処理方法。
【請求項１２】
請求項１１に記載の情報処理方法であって、
前記バックアップ処理毎に算出した前記容量の変化に基づいて、前記バックアップ対象データが正常か異常かを判断する、
情報処理方法。
【請求項１３】
請求項１１又は１２に記載の情報処理方法であって、
前記容量と共に、前記バックアップ対象データを前記重複排除ストレージ装置に記憶することにより生成される、既に記憶されている同一内容のデータを参照する参照データの数を、前記バックアップ処理を行う毎に算出し、
前記バックアップ処理毎に算出した前記容量と前記参照データの数とに基づいて、前記バックアップ対象データが正常か異常かを判断する、
情報処理方法。
【請求項１４】
既に記憶されている同一内容のデータを参照データにて参照することによって重複記憶を排除する重複排除ストレージ装置に対して、バックアップ対象データを記憶するバックアップ処理を行う情報処理方法であって、
前記バックアップ対象データを前記重複排除ストレージ装置に記憶することによって生成された前記参照データの数を、前記バックアップ処理を行う毎に算出し、
算出した前記参照データの数に基づいて、前記バックアップ対象データが正常か異常かを判断する、
情報処理方法。
【発明の詳細な説明】
【技術分野】
【０００１】
本発明は、情報処理装置にかかり、特に、重複記憶排除機能を有するストレージ装置に対するデータ記憶を制御する情報処理装置に対する。
【背景技術】
【０００２】
近年、コンピュータの発達及び普及に伴い、種々の情報がデジタルデータ化されている。このようなデジタルデータを保存しておく装置として、磁気テープや磁気ディスクなどの記憶装置がある。そして、保存すべきデータは日々増大し、膨大な量となるため、大容量なストレージシステムが必要となっている。また、記憶装置に費やすコストを削減しつつ、信頼性も必要とされる。これに加えて、後にデータを容易に取り出すことが可能であることも必要である。その結果、自動的に記憶容量や性能の増大を実現できると共に、重複記憶を排除して記憶コストを削減し、さらには、冗長性の高いストレージシステムが望まれている。
【０００３】
このような状況に応じて、近年では、特許文献１に示すように、コンテンツアドレスストレージシステムが開発されている。このコンテンツアドレスストレージシステムは、データを分散して複数の記憶装置に記憶すると共に、このデータの内容に応じて特定される固有のコンテンツアドレスによって、当該データを格納した格納位置が特定される。また、コンテンツアドレスストレージシステムの中には、所定のデータを複数のフラグメントに分割すると共に、冗長データとなるフラグメントをさらに付加して、これら複数のフラグメントをそれぞれ複数の記憶装置にそれぞれ格納する、というものもある。
【０００４】
そして、上述したようなコンテンツアドレスストレージシステムでは、後に、コンテンツアドレスを指定することにより、当該コンテンツアドレスにて特定される格納位置に格納されているデータつまりフラグメントを読み出し、複数のフラグメントから分割前の所定のデータを復元することができる。
【０００５】
また、上記コンテンツアドレスは、データの内容に応じて固有となるよう生成される値、例えばデータのハッシュ値、に基づいて生成される。このため、重複データであれば同じ格納位置のデータを参照することで、同一内容のデータを取得することができる。従って、重複データを別々に格納する必要がなく、重複記録を排除して、データ容量の削減を図ることができる。
【０００６】
特に、上述したような重複排除ストレージシステムでは、ファイルなど書き込み対象となるデータを所定容量の複数のブロックデータに分割して圧縮し、記憶装置に書き込む。このように、ファイルを分割したブロックデータ単位で重複記憶を排除することで、重複率が増大し、データ容量の削減を図っている。
【０００７】
そして、上述した重複排除ストレージシステムをバックアップに利用した場合には、複数世代のバックアップを保存することが可能である。このため、例えば、ランサムウェア感染というように、バックアップデータが暗号化された不正データに上書きされたとしても、直近の複数世代はまだ残されているため、復元することが可能である。
【先行技術文献】
【特許文献】
【０００８】
【特許文献１】特開２００５−２３５１７１号公報
【特許文献２】特許第５１２４２３８号公報
【発明の概要】
【発明が解決しようとする課題】
【０００９】
しかしながら、ランサムウェア感染を早期に発見しない場合は、定期的なバックアップにより、格納されているすべてのバックアップ世代が上書きされてしまう可能性がある。このため、正常なバックアップデータが全部失われるという問題が生じる。
【００１０】
ここで、特許文献２には、バックアップデータを保護する技術が記載されている。具体的には、バックアップデータに出現する各キーワードの回数を記録し、バックアップ予定のデータに出現する各キーワードの回数と、既にバックアップされたデータに出現する各キーワードの回数と、を比較し、その差分が一定の閾値を超える場合は、バックアップしない、という技術がある。
【００１１】
しかしながら、特許文献２の技術では、上述した重複排除ストレージ装置をバックアップに利用する場合には、各キーワードの抽出や出現回数の計算、およびそのメンテナンスは大変複雑であり、非効率である。このため、重複排除ストレージ装置において有効な手段ではなく、依然としてバックアップデータが失われる、という問題がある。
【００１２】
また、ランサムウェア感染に限らず、誤ってデータを変更してしまった場合や削除してしまった場合にも、そのことに気づかずにバックアップが継続されてしまうと、正常なバックアップデータが失われる、という問題が生じる。
【００１３】
このため、本発明の目的は、上述した課題である、正常なバックアップデータが失われる、という問題を解決することにある。
【課題を解決するための手段】
【００１４】
本発明の一形態である情報処理装置は、
既に記憶されている同一内容のデータを参照することによって重複記憶を排除する重複排除ストレージ装置に、バックアップ対象データを記憶するバックアップ処理を行う情報処理装置であって、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を備えた、
という構成をとる。
【００１５】
また、本発明の一形態である情報処理装置は、
既に記憶されている同一内容のデータを参照データにて参照することによって重複記憶を排除する重複排除ストレージ装置に対して、バックアップ対象データを記憶するバックアップ処理を行う情報処理装置であって、
前記バックアップ対象データを前記重複排除ストレージ装置に記憶することによって生成された前記参照データの数を、前記バックアップ処理を行う毎に算出する算出部と、
算出した前記参照データの数に基づいて、前記バックアップ対象データが正常か異常かを判断する判断部と、
を備えた、
という構成をとる。
【００１６】
また、本発明の一形態であるプログラムは、
既に記憶されている同一内容のデータを参照することによって重複記憶を排除する重複排除ストレージ装置に、バックアップ対象データを記憶するバックアップ処理を行う情報処理装置に、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を実現させる、
という構成をとる。
【００１７】
また、本発明の一形態であるプログラムは、
既に記憶されている同一内容のデータを参照データにて参照することによって重複記憶を排除する重複排除ストレージ装置に対して、バックアップ対象データを記憶するバックアップ処理を行う情報処理装置に、
前記バックアップ対象データを前記重複排除ストレージ装置に記憶することによって生成された前記参照データの数を、前記バックアップ処理を行う毎に算出する算出部と、
算出した前記参照データの数に基づいて、前記バックアップ対象データが正常か異常かを判断する判断部と、
を実現させる、
という構成をとる。
【００１８】
また、本発明の一形態である情報処理方法は、
既に記憶されている同一内容のデータを参照することによって重複記憶を排除する重複排除ストレージ装置に、バックアップ対象データを記憶するバックアップ処理を行う情報処理方法であって、
前記バックアップ対象データを前記重複排除ストレージ装置に記憶することによる重複排除された後の容量を、前記バックアップ処理を行う毎に算出し、
前記バックアップ処理毎に算出した前記容量に基づいて、前記バックアップ対象データが正常か異常かを判断する、
という構成をとる。
【００１９】
また、本発明の一形態である情報処理方法は、
既に記憶されている同一内容のデータを参照データにて参照することによって重複記憶を排除する重複排除ストレージ装置に対して、バックアップ対象データを記憶するバックアップ処理を行う情報処理方法であって、
前記バックアップ対象データを前記重複排除ストレージ装置に記憶することによって生成された前記参照データの数を、前記バックアップ処理を行う毎に算出し、
算出した前記参照データの数に基づいて、前記バックアップ対象データが正常か異常かを判断する、
という構成をとる。
【発明の効果】
【００２０】
本発明は、以上のように構成されることにより、重複記憶ストレージ装置に対してデータをバックアップする場合に、正常なデータが失われることを抑制することができる。
【図面の簡単な説明】
【００２１】
【図１】本発明の実施形態１における情報処理システムの構成を示すブロック図である。
【図２】図１に開示した重複排除ストレージ装置の構成を示すブロック図である。
【図３】図２に開示した重複排除ストレージ装置の動作を示すフローチャートである。
【図４】図２に開示したバックアップデータ容量テーブルに記憶されるデータの一例を示す図である。
【図５】図２に開示したポインターテーブルに記憶されるデータの一例を示す図である。
【図６】本発明の実施形態２における情報処理装置の構成を示すブロック図である。
【発明を実施するための形態】
【００２２】
＜実施形態１＞
本発明の第１の実施形態を、図１乃至図５を参照して説明する。図１乃至図２は、情報処理システムの構成を説明するための図である。図３乃至図５は、情報処理システムの動作を説明するための図である。
【００２３】
［構成］
本発明における情報処理システムは、バックアップ対象データをバックアップする情報処理システムである。例えば、情報処理システムは、図１に示すように、バックアップ対象データを記憶するバックアップ対象サーバ３０と、バックアップ対象データをバックアップする重複排除ストレージ装置１０と、を備えている。このような情報処理システムで定期的にバックアップ処理を行うことで、重複排除ストレージ装置１０には、ディスク２０に複数世代のバックアップデータが蓄積されることとなる。
【００２４】
なお、情報処理システムは、重複排除ストレージ装置１０に対してバックアップ対象データをバックアップ処理するバックアップサーバを別途備えていてもよい。また、重複排除ストレージ装置１０は、複数台のサーバコンピュータが接続されて構成されていてもよい。例えば、重複排除ストレージ装置１０は、ストレージシステム自体における記憶再生動作を制御するサーバコンピュータである複数のアクセラレータノードと、データを格納する記憶装置を備えたサーバコンピュータである複数のストレージノードと、を備えて構成されていてもよい。
【００２５】
図２に、重複排除ストレージ装置１０の構成を示す。上述したように、重複排除ストレージ装置１０は、演算装置や記憶装置を備えた、１台又は複数台の情報処理装置にて構成されている。そして、重複排除ストレージ装置１０は、図２に示すように、演算装置がプログラムを実行することで構築された、重複圧縮制御部１１と、容量判断制御部１２と、ポインター数判断制御部１３と、を備えている。また、重複排除ストレージ装置１０は、記憶装置に形成された、データブロックテーブル１４と、バックアップデータ容量テーブル１５と、ポインターテーブル１６と、を備えている。また、重複排除ストレージ装置１０は、上述したように、バックアップ対象データの実データを格納する記憶装置としてのディスク２０を備えている。
【００２６】
上記重複圧縮制御部１１は、バックアップ対象データの書き込み及び読み出しを制御する。特に、重複圧縮制御部１１は、バックアップ対象データを複数のブロックデータに分割して圧縮し、ディスク２０に書き込む。このとき、既にディスク２０に格納されているデータブロックを記憶する場合には、かかるデータブロックを参照するコンテンツアドレスといったポインター（参照データ）を生成することで、実データブロックを格納することなく重複記憶を排除して、データブロックを書き込むことができる。なお、重複圧縮制御部１１は、ディスク２０に格納されたデータを読み出す場合には、参照データを辿って実データブロックにアクセスすることで、対象となるデータを読み出すことができる。
【００２７】
また、上記重複圧縮制御部１１は、バックアップ対象データを書き込む際に、データブロックの重複する／しないを管理し、各データブロックの格納位置を示す情報をデータブロックテーブル１４に記憶する。例えば、データブロックテーブル１４には、重複しないデータブロック（既存ブロック）の格納位置を表す情報や、重複するデータの既存ブロックへの参照状況つまり既存ブロックへのポインターを表す情報を、データブロックテーブル１４に記憶する。
【００２８】
また、上記重複圧縮制御部１１（算出部）は、バックアップ対象データを書き込む際に、バックアップ対象データの重複圧縮前と後の容量をそれぞれ計算し、バックアップデータ容量テーブル１５に記憶する。このとき、重複圧縮制御部１１は、バックアップ対象データをキャッシュ上で重複圧縮してバックアップイメージデータを作成することで、実際にバックアップ処理を実行する前に、重複圧縮後の容量を計算する。
【００２９】
さらに、重複圧縮制御部１１（算出部）は、バックアップ対象データを書き込む際に、バックアップ対象データの重複圧縮後に新規に生成されるポインター数を計算して、ポインターテーブル１６に格納する。つまり、バックアップ対象データの新規に書き込まれるデータブロックが、既存のデータブロックと重複するために当該既存のデータブロックを参照することで新たに生成されるポインター数を計算する。
【００３０】
なお、重複圧縮制御部１１は、バックアップ処理を行う度に、上述した重複圧縮後の容量と、新規ポインター数と、を各テーブル１５，１６に記憶する。このとき、バックアップの世代がわかるよう、日付や世代情報も関連付けて記憶する。
【００３１】
上記容量判断制御部１２（判断部）は、バックアップデータ容量テーブル１５を調べ、重複圧縮後の容量に基づいて、バックアップ対象データが正常か異常かを判断する。具体的に、容量判断制御部１２は、重複圧縮後の容量の変化に基づいて、バックアップ対象データが正常か異常かを判断する。例えば、前回の容量と今回の容量とを比較し、予め設定した基準により容量が急に大幅に増加したと判断した場合に、バックアップ対象データが異常であると判断する。なお、本実施形態では、重複圧縮前の容量に近い値であり、かつ、当該重複圧縮前の容量よりも小さい値を閾値として設定し、かかる閾値より重複圧縮後の容量が大きい場合には、容量が急に大幅に増加したと判断して、バックアップ対象データが異常であると判断する。
【００３２】
上記ポインター数判断制御部１３（判断部）は、ポインターテーブル１６を調べ、ポインター数に基づいて、バックアップ対象データが正常か異常かを判断する。このとき、ポインター数判断制御部１３は、上述した容量判断制御部１２にて調べた重複圧縮後の容量とポインター数とに基づいて、バックアップ対象データが正常か異常かを判断する。例えば、重複圧縮後の容量が前回から今回にかけて予め設定された基準により急に大幅に減少したと判断した場合であって、新規ポインター数が前回から今回にかけて予め設定された基準により急に大幅に増加した場合には、バックアップ対象データが異常であると判断する。なお、本実施形態では、重複圧縮後の容量が０に近い値になった場合に容量が急減したと判断し、新規ポインター数が閾値数を変えた場合に急増したと判断して、バックアップ対象データが異常であると判断する。
【００３３】
ここで、上記ポインター数判断制御部１３は、重複圧縮後の容量を調べることなく、ポインター数のみから、バックアップ対象データが正常か異常かを判断してもよい。例えば、新規ポインター数が閾値を超えるなど、前回から今回にかけて予め設定された基準により急に大幅に増加した場合には、バックアップ対象データが異常であると判断してもよい。
【００３４】
そして、上記容量判断制御部１２とポインター数判断制御部１３とは、バックアップ対象データが異常と判断された場合には、バックアップ処理を停止する。但し、バックアップ対象データが異常と判断された場合には、バックアップ処理を停止することに限らず、その旨の警告を出力するなど、異常判断時の特定の処理を行う。
【００３５】
［動作］
次に、上述した構成である重複排除ストレージ装置１０の動作を、主に図３のフローチャートを参照して説明する。
【００３６】
まず、重複排除ストレージ装置１０は、定期的にバックアップ対象データをバックアップするよう設定されており、設定された時刻になるとバックアップを開始する（ステップＳ１）。重複排除ストレージ装置１０は、重複圧縮制御部１１にてバックアップ対象データをバックアップする際の重複圧縮を判断し、重複圧縮後のバックアップデータ容量を計算して、バックアップデータ容量テーブル１５に記憶する（ステップＳ２）。
【００３７】
そして、容量判断制御部１２にてバックアップデータ容量を確認し、閾値と比較する（ステップＳ３）。容量が閾値Ａより大きい場合は（ステップＳ４でＹｅｓ）、前回から容量が大幅に増加したと判断し、バックアップ対象データがランサムウェア感染つまり異常である判断し（ステップＳ８）、バックアップを停止する（ステップＳ９）。なお、重複圧縮後の容量が前回と比較して大幅に増加したと判断する基準となる上記閾値Ａは、例えば、重複圧縮する前のバックアップ対象データの容量に近い数字を設定するか、あるいは、バックアップデータ容量テーブル１５のデータを統計して設定するなどしてもよい。
【００３８】
また、バックアップデータ容量が閾値Ｂより小さい場合は（ステップＳ５でＹｅｓ）、容量が全くない、あるいは、前回から急減した、と判断し、ポインター数判断制御部１３により、さらにポインター数を確認する（ステップＳ６）。なお、容量が全くない、あるいは、前回から急減した、と判断する基準となる上記閾値Ｂの設定は、０又は０に近い値を設定するか、バックアップデータ容量テーブル１５のデータを統計し、設定するなどしてよい。
【００３９】
上述したバックアップデータ容量の確認は、前回の値と今回の値とを比較して行ってもよい。例えば、今回の値から前回の値を差し引いた値が予め設定された閾値を超えた場合に、容量が前回から急増したと判断してもよく、逆に、前回の値から今回の値を差し引いた値が予め設定された閾値を超えた場合に、容量が前回から急減したと判断してもよい。
【００４０】
そして、ポインター数判断制御部１３により、新規ポインター数を確認し、閾値Ｃと比較する（ステップＳ７）。新規ポインター数が閾値Ｃより大きい場合は（ステップＳ７でＹｅｓ）、新規ポインター数が前回から今回にかけて急増したと判断する。その場合には、バックアップ対象データがランサムウェア感染つまり異常である判断して（ステップＳ８）、バックアップを停止する（ステップＳ９）。なお、新規ポインター数が急増したと判断する上記閾値Ｃの設定は、重複排除する前のバックアップ対象データが構成するデータブロックの総数あるいは総数に近い数字を設定するか、データブロックテーブルとポインターテーブル１６とを統計し、設定するなどしてもよい。
【００４１】
上述した新規ポインター数の確認は、前回の全ポインター数と今回の全ポインター数とを算出し、これらを比較して行ってもよい。
【００４２】
ここで、ステップＳ４，Ｓ５において、バックアップデータ容量が、閾値Ａと閾値Ｂとの間にある場合は（ステップＳ４でＮｏ、ステップＳ５でＮｏ）、ランサムウェア感染がないと判断する。その場合は、バックアップ処理を継続し（ステップＳ１０）、バックアップを完了する（ステップＳ１１）。
【００４３】
また、ステップＳ４，Ｓ５において、既存ブロックへの新規ポインター数が閾値Ｃと同じ又はそれより小さい場合は（ステップＳ７でＮｏ）、ランサムウェア感染がないと判断する。その場合は、バックアップ処理を継続し（ステップＳ１０）、バックアップを完了する（ステップＳ１１）。
【００４４】
続いて、図４乃至図５を参照して、実施例を説明する。なお、以下では、バックアップデータ容量テーブル１５、ポインターテーブル１６のデータを統計し、閾値Ａを１９ＧＢ、閾値Ｂを１ＭＢ、閾値Ｃを１５０，０００に設定していることとする。
【００４５】
図４（ａ）及び図５（ａ）に、バックアップジョブ１において記録されたバックアップデータ容量やポインターテーブルを示す。図４（ｂ）及び図５（ｂ）に、バックアップジョブ２において記録されたバックアップデータ容量やポインターテーブルを示す。
【００４６】
まず、１２月３日にバックアップジョブ１が開始する。重複圧縮制御部１１にて重複圧縮する前の容量を２０ＧＢ、重複圧縮する後の容量を４１ＭＢ、既存ブロックへの新規ポインター数を６４０、と計算する。そして、これらの値を、バックアップジョブ１のバックアップデータ容量テーブル１５（図４（ａ））と、バックアップジョブ１のポインターテーブル１６（図５（ａ））に記録する。
【００４７】
１２月３日のバックアップジョブ１では、重複圧縮する後の容量４１ＭＢは閾値Ａ（１９ＧＢ）より小さく、閾値Ｂ（１ＭＢ）より大きいことから、ランサムウェア感染されていないを判断する。このため、バックアップを継続し、完了とする。
【００４８】
その後、１２月３日のバックアップジョブ２が開始する。重複圧縮制御部１１にて重複圧縮する前の容量を２０ＧＢ、重複圧縮する後の容量を３９ＭＢ、既存ブロックへの新規ポインター数を６２４、と計算する。そして、これらの値を、バックアップジョブ２のバックアップデータ容量テーブル１５（図４（ｂ））と、バックアップジョブ２のポインターテーブル１６（図５（ｂ））に記録する。
【００４９】
１２月３日のバックアップジョブ２では、重複圧縮する後の容量３９ＭＢは閾値Ａ（１９ＧＢ）より小さく、閾値Ｂ（１ＭＢ）より大きいことから、ランサムウェア感染されていないを判断する。このため、バックアップを継続し、完了とする。
【００５０】
次に、１２月４日にバックアップジョブ１が開始する。重複圧縮制御部１１にて重複圧縮する前の容量を２０ＧＢ、重複圧縮する後の容量を２０ＧＢ、既存ブロックへの新規ポインター数を０、と計算する。そして、これらの値を、バックアップジョブ１のバックアップデータ容量テーブル１５（図４（ａ））と、バックアップジョブ１のポインターテーブル１６（図５（ａ））に記録する。
【００５１】
１２月４日のバックアップジョブ１では、重複圧縮する後の容量２０ＧＢは閾値Ａ（１９ＧＢ）より大きいため、バックアップデータが暗号化され、重複圧縮が効かなくなったと考えられる。このため、バックアップ対象データがランサムウェア感染と判断し、バックアップを停止する。この場合、バックアップジョブ１のランサムウェア感染されたバックアップ対象データを、１２月３日に保存されていたバックアップデータに復元することで、データを正常に戻すことができる。
【００５２】
その後、１２月４日のバックアップジョブ２が開始する。重複圧縮制御部１１）にて重複圧縮する前の容量を２０ＧＢ、重複圧縮する後の容量を０ＭＢ、既存ブロックへの新規ポインター数を３２７，６８０と計算する。そして、これらの値を、バックアップジョブ２のバックアップデータ容量テーブル１５（図４（ｂ））と、バックアップジョブ２のポインターテーブル１６（図５（ｂ））に記録する。
【００５３】
１２月４日のバックアップジョブ２では、重複圧縮する後の容量０ＭＢは閾値Ｂ（１ＭＢ）より小さいため、ポインター数判断を行うことになる。既存ブロックへの新規ポインター数３２７，６８０は閾値Ｃ（１５０，０００）より大きいため、バックアップデータが暗号化され、以前の世代が参照している既存ブロックではなく、ほかの既存ブロックを参照することになり、データが大幅に変わったと考えられる。このため、バックアップ対象データがランサムウェア感染と判断し、バックアップを停止する。この場合、バックアップジョブ２のランサムウェア感染されたバックアップ対象データを、１２月３日に保存されていたバックアップデータに復元することで、データを正常に戻すことができる。
【００５４】
なお、上記では、バックアップ対象データが異常であると判断された場合には、バックアップ処理を停止することとしているが、ディスク２０の空き容量があれば、バックアップを停止せず、継続してもよい。その場合であっても、バックアップデータからリストアする場合には、正常と判断された過去のバックアップデータを用いることで、データを正常に戻すことができる。
【００５５】
以上のように、本発明によると、重複圧縮ストレージの特徴から、バックアップデータ容量の変化を確認するだけで、バックアップ対象データがランサムウェア感染されているなど異常であるかどうかを判断でき、効率よく早期に発見して対応することができる。その結果、正常なデータが失われることを抑制することができる。
【００５６】
また、データが異常であり、バックアップデータ容量が変化しないケースであっても、既存ブロックへの新規ポインター数の変化を確認するだけで、ランサムウェア感染されているなど異常であるかどうかを判断でき、判断精度を向上することができる。
【００５７】
＜実施形態２＞
次に、本発明の第２の実施形態を、図６を参照して説明する。図６は、実施形態２における情報処理装置の構成を示すブロック図である。なお、本実施形態における情報処理装置は、実施形態１で説明した重複排除ストレージ装置の構成の概略を示している。
【００５８】
図６に示すように、本実施形態おける情報処理装置１００は、
既に記憶されている同一内容のデータを参照することによって重複記憶を排除する重複排除ストレージ装置に、バックアップ対象データを記憶するバックアップ処理を行う情報処理装置１００であって、
バックアップ対象データを重複排除ストレージ装置に記憶することによる重複排除された後の容量を、バックアップ処理を行う毎に算出する算出部１１０と、
バックアップ処理毎に算出した容量に基づいて、バックアップ対象データが正常か異常かを判断する判断部１２０と、
を備えている。
【００５９】
また、本実施形態における情報処理装置１００は、上記算出部１１０が、バックアップ対象データを重複排除ストレージ装置に記憶することによって生成された参照データの数を、バックアップ処理を行う毎に算出し、上記判断部１２０が、算出した参照データの数に基づいて、バックアップ対象データが正常か異常かを判断する、という構成であってもよい。
【００６０】
上記構成の情報処理装置によると、重複圧縮ストレージの特性を利用し、バックアップデータ容量の変化、及び／又は、参照データ数の変化、を確認するだけで、バックアップ対象データがランサムウェア感染されているなど異常であるかどうかを判断でき、効率よく早期に発見して対応することができる。その結果、正常なデータが失われることを抑制することができる。
【００６１】
＜付記＞
上記実施形態の一部又は全部は、以下の付記のようにも記載されうる。以下、本発明における情報処理装置、プログラム、情報処理方法の構成の概略を説明する。但し、本発明は、以下の構成に限定されない。
【００６２】
（付記１）
既に記憶されている同一内容のデータを参照することによって重複記憶を排除する重複排除ストレージ装置に、バックアップ対象データを記憶するバックアップ処理を行う情報処理装置であって、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を備えた情報処理装置。
【００６３】
（付記２）
付記１に記載の情報処理装置であって、
前記判断部は、前記バックアップ処理毎に算出した前記容量の変化に基づいて、前記バックアップ対象データが正常か異常かを判断する、
情報処理装置。
【００６４】
（付記３）
付記１又は２に記載の情報処理装置であって、
前記判断部は、前回の前記バックアップ処理の際に算出した前記容量と、今回の前記バックアップ処理の際に算出した前記容量と、に基づいて、前記バックアップ対象データが正常か異常かを判断する、
情報処理装置。
【００６５】
（付記４）
付記３に記載の情報処理装置であって、
前記判断部は、前回の前記バックアップ処理の際に算出した前記容量に対して、今回の前記バックアップ処理の際に算出した前記容量が予め設定された基準により急増したと判断した場合に、前記バックアップ対象データが異常であると判断する、
情報処理装置。
【００６６】
（付記５）
付記１乃至４のいずれかに記載の情報処理装置であって、
前記算出部は、前記バックアップ対象データを前記重複排除ストレージ装置に記憶することにより生成される、既に記憶されている同一内容のデータを参照する参照データの数を、前記バックアップ処理を行う毎に算出し、
前記判断部は、前記バックアップ処理毎に算出した前記容量と前記参照データの数とに基づいて、前記バックアップ対象データが正常か異常かを判断する、
情報処理装置。
【００６７】
（付記６）
付記５に記載の情報処理装置であって、
前記判断部は、前回の前記バックアップ処理の際に算出した前記容量に対して、今回の前記バックアップ処理の際に算出した前記容量が予め設定された基準により急減したと判断した場合に、算出した前記参照データの数に基づいて、前記バックアップ対象データが正常か異常かを判断する、
情報処理装置。
【００６８】
（付記７）
付記５又は６に記載の情報処理装置であって、
前記判断部は、新規に生成された前記参照データの数に基づいて、前記バックアップ対象データが正常か異常かを判断する、
情報処理装置。
【００６９】
（付記８）
付記７に記載の情報処理装置であって、
前記判断部は、新規に生成された前記参照データの数が予め設定された閾値を超えた場合に、前記バックアップ対象データが異常であると判断する、
情報処理装置。
【００７０】
（付記９）
既に記憶されている同一内容のデータを参照データにて参照することによって重複記憶を排除する重複排除ストレージ装置に対して、バックアップ対象データを記憶するバックアップ処理を行う情報処理装置であって、
前記バックアップ対象データを前記重複排除ストレージ装置に記憶することによって生成された前記参照データの数を、前記バックアップ処理を行う毎に算出する算出部と、
算出した前記参照データの数に基づいて、前記バックアップ対象データが正常か異常かを判断する判断部と、
を備えた情報処理装置。
【００７１】
（付記９．１）
付記９に記載の情報処理装置であって、
前記判断部は、新規に生成された前記参照データの数に基づいて、前記バックアップ対象データが正常か異常かを判断する、
情報処理装置。
【００７２】
（付記９．２）
付記９．１に記載の情報処理装置であって、
前記判断部は、新規に生成された前記参照データの数が予め設定された閾値を超えた場合に、前記バックアップ対象データが異常であると判断する、
情報処理装置。
【００７３】
（付記９．３）
付記９に記載の情報処理装置であって、
前記判断部は、前回の前記バックアップ処理の際に算出した前記参照データの数と、今回の前記バックアップ処理の際に算出した前記参照データの数と、に基づいて、前記バックアップ対象データが正常か異常かを判断する、
情報処理装置。
【００７４】
（付記９．４）
付記９．３に記載の情報処理装置であって、
前記判断部は、前回の前記バックアップ処理の際に算出した前記参照データの数に対して、今回の前記バックアップ処理の際に算出した前記参照データの数が予め設定された基準により急増したと判断した場合に、前記バックアップ対象データが異常であると判断する、
情報処理装置。
【００７５】
（付記１０）
既に記憶されている同一内容のデータを参照することによって重複記憶を排除する重複排除ストレージ装置に、バックアップ対象データを記憶するバックアップ処理を行う情報処理装置に、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を実現させるためのプログラム。
【００７６】
（付記１０．１）
付記１０に記載のプログラムであって、
前記判断部は、前記バックアップ処理毎に算出した前記容量の変化に基づいて、前記バックアップ対象データが正常か異常かを判断する、
プログラム。
【００７７】
（付記１０．２）
付記１０又は１０．１に記載のプログラムであって、
前記判断部は、前回の前記バックアップ処理の際に算出した前記容量と、今回の前記バックアップ処理の際に算出した前記容量と、に基づいて、前記バックアップ対象データが正常か異常かを判断する、
プログラム。
【００７８】
（付記１０．３）
付記１０．２に記載のプログラムであって、
前記判断部は、前回の前記バックアップ処理の際に算出した前記容量に対して、今回の前記バックアップ処理の際に算出した前記容量が予め設定された基準により急増したと判断した場合に、前記バックアップ対象データが異常であると判断する、
プログラム。
【００７９】
（付記１０．４）
付記１０乃至１０．３のいずれかに記載のプログラムであって、
前記算出部は、前記バックアップ対象データを前記重複排除ストレージ装置に記憶することにより生成される、既に記憶されている同一内容のデータを参照する参照データの数を、前記バックアップ処理を行う毎に算出し、
前記判断部は、前記バックアップ処理毎に算出した前記容量と前記参照データの数とに基づいて、前記バックアップ対象データが正常か異常かを判断する、
プログラム。
【００８０】
（付記１０．５）
付記１０．４に記載のプログラムであって、
前記判断部は、前回の前記バックアップ処理の際に算出した前記容量に対して、今回の前記バックアップ処理の際に算出した前記容量が予め設定された基準により急減した判断した場合に、算出した前記参照データの数に基づいて、前記バックアップ対象データが正常か異常かを判断する、
プログラム。
【００８１】
（付記１０．６）
付記１０．４又は１０．５に記載のプログラムであって、
前記判断部は、新規に生成された前記参照データの数が予め設定された閾値を超えた場合に、前記バックアップ対象データが異常であると判断する、
プログラム。
【００８２】
（付記１０．７）
既に記憶されている同一内容のデータを参照データにて参照することによって重複記憶を排除する重複排除ストレージ装置に対して、バックアップ対象データを記憶するバックアップ処理を行う情報処理装置に、
前記バックアップ対象データを前記重複排除ストレージ装置に記憶することによって生成された前記参照データの数を、前記バックアップ処理を行う毎に算出する算出部と、
算出した前記参照データの数に基づいて、前記バックアップ対象データが正常か異常かを判断する判断部と、
を実現させるためのプログラム。
【００８３】
（付記１０．８）
付記１０．７に記載のプログラムであって、
前記判断部は、新規に生成された前記参照データの数に基づいて、前記バックアップ対象データが正常か異常かを判断する、
プログラム。
【００８４】
（付記１０．９）
付記１０．８に記載のプログラムであって、
前記判断部は、新規に生成された前記参照データの数が予め設定された閾値を超えた場合に、前記バックアップ対象データが異常であると判断する、
プログラム。
【００８５】
（付記１０．１０）
付記１０．７に記載の情報処理装置であって、
前記判断部は、前回の前記バックアップ処理の際に算出した前記参照データの数と、今回の前記バックアップ処理の際に算出した前記参照データの数と、に基づいて、前記バックアップ対象データが正常か異常かを判断する、
情報処理装置。
【００８６】
（付記１０．１１）
付記１０．１０に記載の情報処理装置であって、
前記判断部は、前回の前記バックアップ処理の際に算出した前記参照データの数に対して、今回の前記バックアップ処理の際に算出した前記参照データの数が予め設定された基準により急増したと判断した場合に、前記バックアップ対象データが異常であると判断する、
情報処理装置。
【００８７】
（付記１１）
既に記憶されている同一内容のデータを参照することによって重複記憶を排除する重複排除ストレージ装置に、バックアップ対象データを記憶するバックアップ処理を行う情報処理方法であって、
前記バックアップ対象データを前記重複排除ストレージ装置に記憶することによる重複排除された後の容量を、前記バックアップ処理を行う毎に算出し、
前記バックアップ処理毎に算出した前記容量に基づいて、前記バックアップ対象データが正常か異常かを判断する、
情報処理方法。
【００８８】
（付記１２）
付記１１に記載の情報処理方法であって、
前記バックアップ処理毎に算出した前記容量の変化に基づいて、前記バックアップ対象データが正常か異常かを判断する、
情報処理方法。
【００８９】
（付記１２．１）
付記１１又は１２に記載の情報処理方法であって、
前回の前記バックアップ処理の際に算出した前記容量と、今回の前記バックアップ処理の際に算出した前記容量と、に基づいて、前記バックアップ対象データが正常か異常かを判断する、
情報処理方法。
【００９０】
（付記１２．２）
付記１２．１に記載の情報処理方法であって、
前回の前記バックアップ処理の際に算出した前記容量に対して、今回の前記バックアップ処理の際に算出した前記容量が予め設定された基準により急増したと判断した場合に、前記バックアップ対象データが異常であると判断する、
情報処理方法。
【００９１】
（付記１３）
付記１１乃至１２．２のいずれかに記載の情報処理方法であって、
前記容量と共に、前記バックアップ対象データを前記重複排除ストレージ装置に記憶することにより生成される、既に記憶されている同一内容のデータを参照する参照データの数を、前記バックアップ処理を行う毎に算出し、
前記バックアップ処理毎に算出した前記容量と前記参照データの数とに基づいて、前記バックアップ対象データが正常か異常かを判断する、
情報処理方法。
【００９２】
（付記１３．１）
付記１３に記載の情報処理方法であって、
前回の前記バックアップ処理の際に算出した前記容量に対して、今回の前記バックアップ処理の際に算出した前記容量が予め設定された基準により急減した判断した場合に、算出した前記参照データの数に基づいて、前記バックアップ対象データが正常か異常かを判断する、
情報処理方法。
【００９３】
（付記１３．２）
付記１３又は１３．１に記載の情報処理方法であって、
前記判断部は、新規に生成された前記参照データの数に基づいて、前記バックアップ対象データが正常か異常かを判断する、
情報処理方法。
【００９４】
（付記１３．３）
付記１３．２に記載の情報処理方法であって、
前記判断部は、新規に生成された前記参照データの数が予め設定された閾値を超えた場合に、前記バックアップ対象データが異常であると判断する、
情報処理方法。
【００９５】
（付記１４）
既に記憶されている同一内容のデータを参照データにて参照することによって重複記憶を排除する重複排除ストレージ装置に対して、バックアップ対象データを記憶するバックアップ処理を行う情報処理方法であって、
前記バックアップ対象データを前記重複排除ストレージ装置に記憶することによって生成された前記参照データの数を、前記バックアップ処理を行う毎に算出し、
算出した前記参照データの数に基づいて、前記バックアップ対象データが正常か異常かを判断する、
情報処理方法。
【００９６】
（付記１４．１）
付記１４に記載の情報処理方法であって、
新規に生成された前記参照データの数に基づいて、前記バックアップ対象データが正常か異常かを判断する、
情報処理方法。
【００９７】
（付記１４．２）
付記１４．１に記載の情報処理方法であって、
新規に生成された前記参照データの数が予め設定された閾値を超えた場合に、前記バックアップ対象データが異常であると判断する、
情報処理方法。
【００９８】
（付記１４．３）
付記１４に記載の情報処理方法であって、
前回の前記バックアップ処理の際に算出した前記参照データの数と、今回の前記バックアップ処理の際に算出した前記参照データの数と、に基づいて、前記バックアップ対象データが正常か異常かを判断する、
情報処理装置。
【００９９】
（付記１４．４）
付記１４．３に記載の情報処理方法であって、
前回の前記バックアップ処理の際に算出した前記参照データの数に対して、今回の前記バックアップ処理の際に算出した前記参照データの数が予め設定された基準により急増したと判断した場合に、前記バックアップ対象データが異常であると判断する、
情報処理方法。
【０１００】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１０１】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【０１０２】
１０  重複排除ストレージ装置
１１  重複圧縮制御部
１２  容量判断制御部
１３  ポインター数判断制御部
１４  データブロックテーブル
１５  バックアップデータ容量テーブル
１６  ポインターテーブル
２０  ディスク
３０  バックアップ対象サーバ
３１  バックアップ対象データ
１００  情報処理装置
１１０  算出部
１２０  判断部
【図１】
2018147127.tif 000003
【図２】
2018147127.tif 000004
【図３】
2018147127.tif 000005
【図４】
2018147127.tif 000006
【図５】
2018147127.tif 000007
【図６】
2018147127.tif 000008
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
既に記憶されている同一内容のデータを参照することによって重複記憶を排除する重複排除ストレージ装置に、バックアップ対象データを記憶するバックアップ処理を行う情報処理装置であって、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を備え、
前記算出部は、前記バックアップ対象データを前記重複排除ストレージ装置に記憶することにより生成される、既に記憶されている同一内容のデータを参照する参照データの数を、前記バックアップ処理を行う毎に算出し、
前記判断部は、前記バックアップ処理毎に算出した前記容量と前記参照データの数とに基づいて、前記バックアップ対象データが正常か異常かを判断する、
情報処理装置。
【請求項２】
請求項１に記載の情報処理装置であって、
前記判断部は、前回の前記バックアップ処理の際に算出した前記容量に対して、今回の前記バックアップ処理の際に算出した前記容量が予め設定された基準により急減したと判断した場合に、算出した前記参照データの数に基づいて、前記バックアップ対象データが正常か異常かを判断する、
情報処理装置。
【請求項３】
請求項１又は２に記載の情報処理装置であって、
前記判断部は、新規に生成された前記参照データの数に基づいて、前記バックアップ対象データが正常か異常かを判断する、
情報処理装置。
【請求項４】
請求項３に記載の情報処理装置であって、
前記判断部は、新規に生成された前記参照データの数が予め設定された閾値を超えた場合に、前記バックアップ対象データが異常であると判断する、
情報処理装置。
【請求項５】
請求項１乃至４のいずれかに記載の情報処理装置であって、
前記判断部は、前記バックアップ処理毎に算出した前記容量の変化に基づいて、前記バックアップ対象データが正常か異常かを判断する、
情報処理装置。
【請求項６】
請求項１乃至５のいずれかに記載の情報処理装置であって、
前記判断部は、前回の前記バックアップ処理の際に算出した前記容量と、今回の前記バックアップ処理の際に算出した前記容量と、に基づいて、前記バックアップ対象データが正常か異常かを判断する、
情報処理装置。
【請求項７】
請求項６に記載の情報処理装置であって、
前記判断部は、前回の前記バックアップ処理の際に算出した前記容量に対して、今回の前記バックアップ処理の際に算出した前記容量が予め設定された基準により急増したと判断した場合に、前記バックアップ対象データが異常であると判断する、
情報処理装置。
【請求項８】
既に記憶されている同一内容のデータを参照データにて参照することによって重複記憶を排除する重複排除ストレージ装置に対して、バックアップ対象データを記憶するバックアップ処理を行う情報処理装置であって、
前記バックアップ対象データを前記重複排除ストレージ装置に記憶することによって生成された前記参照データの数を、前記バックアップ処理を行う毎に算出する算出部と、
算出した前記参照データの数に基づいて、前記バックアップ対象データが正常か異常かを判断する判断部と、
を備えた情報処理装置。
【請求項９】
既に記憶されている同一内容のデータを参照することによって重複記憶を排除する重複排除ストレージ装置に、バックアップ対象データを記憶するバックアップ処理を行う情報処理装置に、
前記バックアップ対象データを前記重複排除ストレージ装置に記憶することによる重複排除された後の容量を、前記バックアップ処理を行う毎に算出する算出部と、
前記バックアップ処理毎に算出した前記容量に基づいて、前記バックアップ対象データが正常か異常かを判断する判断部と、
を実現させる共に、
前記算出部は、前記バックアップ対象データを前記重複排除ストレージ装置に記憶することにより生成される、既に記憶されている同一内容のデータを参照する参照データの数を、前記バックアップ処理を行う毎に算出し、
前記判断部は、前記バックアップ処理毎に算出した前記容量と前記参照データの数とに基づいて、前記バックアップ対象データが正常か異常かを判断する、
ことを実現させるためのプログラム。
【請求項１０】
既に記憶されている同一内容のデータを参照することによって重複記憶を排除する重複排除ストレージ装置に、バックアップ対象データを記憶するバックアップ処理を行う情報処理方法であって、
前記バックアップ対象データを前記重複排除ストレージ装置に記憶することによる重複排除された後の容量と、前記バックアップ対象データを前記重複排除ストレージ装置に記憶することにより生成される、既に記憶されている同一内容のデータを参照する参照データの数とを、前記バックアップ処理を行う毎に算出し、
前記バックアップ処理毎に算出した前記容量と前記参照データの数とに基づいて、前記バックアップ対象データが正常か異常かを判断する、
情報処理方法。
【請求項１１】
既に記憶されている同一内容のデータを参照データにて参照することによって重複記憶を排除する重複排除ストレージ装置に対して、バックアップ対象データを記憶するバックアップ処理を行う情報処理方法であって、
前記バックアップ対象データを前記重複排除ストレージ装置に記憶することによって生成された前記参照データの数を、前記バックアップ処理を行う毎に算出し、
算出した前記参照データの数に基づいて、前記バックアップ対象データが正常か異常かを判断する、
情報処理方法。